(57)【特許請求の範囲】
【請求項１】
第１透明部材と、シート搬送路を搬送されるシートの第１面の画像を前記第１透明部材を介して読み取る第１画像読取手段と、を有する本体部と、
第２透明部材と、前記シート搬送路を挟んで前記第１画像読取手段の反対側に配置され、前記シート搬送路を搬送されてくるシートの第２面の画像を前記第２透明部材を介して読み取る第２画像読取手段と、を有し、前記本体部に対して開閉自在で、閉じられた状態で前記シート搬送路を形成する開閉部と、
前記本体部に設けられ、前記シート搬送路を挟んで前記第２透明部材の反対側に配置され、前記第２透明部材に向かって移動自在な移動ガイド手段と、
前記本体部に設けられ、前記移動ガイド手段を前記第２透明部材に向かって付勢する付勢手段と、
前記第２透明部材と前記移動ガイド手段との一方に設けられ、前記第２透明部材と前記移動ガイド手段の他方と当接して、前記第２透明部材と前記移動ガイド手段の間をシートが通過可能な間隙を形成する間隙形成手段と、
前記本体部において、前記移動ガイド手段のシート搬送方向上流に設けられると共に、シートの先端を前記第２透明部材に当接する方向に案内可能に傾斜する傾斜案内面を有する搬送ガイド手段と、を備え、
前記搬送ガイド手段は、前記傾斜案内面の傾斜方向へ直線的に延びる第１延長線が、前記第２画像読取手段の第２画像読取位置よりシート搬送方向の上流側で前記第２透明部材に交わるように構成されている、
ことを特徴とする画像読取装置。
【請求項２】
前記間隙形成手段は、シート搬送方向に交差する方向の前記シート搬送路の外側で前記シート搬送路を挟んだ位置に配設される、
ことを特徴とする請求項１に記載の画像読取装置。
【請求項３】
前記付勢手段は、前記移動ガイド手段を、シート搬送方向に交差する方向の端部が上下に移動可能となるように搖動自在に付勢する、
ことを特徴とする請求項２に記載の画像読取装置。
【請求項４】
前記第２画像読取手段は、前記第１画像読取手段のシート搬送方向の下流側に配置され、
前記搬送ガイド手段は、第１搬送ガイド手段であると共に、前記傾斜案内面は、前記第１透明部材を通過するシートの先端を前記第２透明部材に当接する方向に案内可能に傾斜する第１傾斜案内面であり、
前記開閉部は、前記第１搬送ガイド手段と対向して配置され、搬送されてくるシートの先端を前記第１透明部材に当接する方向に案内可能に傾斜する第２傾斜案内面を有する第２搬送ガイド手段を有する、
ことを特徴とする請求項１乃至３のいずれか１項に記載の画像読取装置。
【請求項５】
前記移動ガイド手段は、前記第１搬送ガイド手段の前記シート搬送方向の下流側に隣接して配置され、かつ前記シート搬送方向の上流側の端部が前記第１搬送ガイド手段の下流側の端部よりも前記第２透明部材から遠ざかる位置に配置される、
ことを特徴とする請求項４に記載の画像読取装置。
【請求項６】
前記第１透明部材と前記第２搬送ガイド手段との一方に設けられ、前記第１透明部材と前記第２搬送ガイド手段の他方と当接して、前記第１透明部材と前記第２搬送ガイド手段の間をシートが通過可能な間隙を形成する第１間隙形成手段を備え、
前記第２透明部材と前記移動ガイド手段との他方に当接する間隙形成手段は、第２間隙形成手段である、
ことを特徴とする請求項４又は５に記載の画像読取装置。
【請求項７】
前記第１間隙形成手段は、前記シート搬送方向に交差する方向の前記シート搬送路の外側に配設される、
ことを特徴とする請求項６に記載の画像読取装置。
【請求項８】
前記第２傾斜案内面の面方向へ直線的に延びる第２延長線が、前記第１画像読取手段の第１画像読取位置よりシート搬送方向の上流側で前記第１透明部材に交わる、
ことを特徴とする請求項４乃至７のいずれか１項に記載の画像読取装置。
【請求項９】
前記第２搬送ガイド手段は、前記第１透明部材に対向し前記第１画像読取位置の前記シート搬送方向の上流側及び下流側にそれぞれ位置する第１及び第２角部が設けられた平行案内面を有し、
前記シート搬送路を搬送されるシートが摺接可能な、前記第１及び第２角部並びに前記第２透明部材の下流側に位置する第３角部には、シートに接しつつ従動回転する従動回転体がそれぞれ設けられている、
ことを特徴とする請求項８に記載の画像読取装置。
【請求項１０】
前記第１搬送ガイド手段は、前記第２透明部材に隙間をあけて対向し且つ第１傾斜案内面に連続する対向案内面を有し、
前記第２画像読取手段、前記第２透明部材及び前記対向案内面は、前記第１透明部材に対してシート搬送方向の下流側に向かって上昇するように傾斜している、
ことを特徴とする請求項９に記載の画像読取装置。
【請求項１１】
前記対向案内面のシート搬送方向の上流側の端部は、前記第２角部より高い位置に位置する第４角部を有し、
前記第４角部には、シートに接しつつ従動回転する従動回転体が設けられている、
ことを特徴とする請求項１０に記載の画像読取装置。
【請求項１２】
前記シート搬送路における前記第１画像読取手段よりもシート搬送方向の上流側に配置され、シートを前記第１画像読取手段に搬送する第１搬送回転体対と、
前記シート搬送路における前記第２画像読取手段よりもシート搬送方向の下流側に配置され、前記第１画像読取手段及び前記第２画像読取手段を通過したシートを搬送する第２搬送回転体対と、を備える、
ことを特徴とする請求項１乃至１１のいずれか１項に記載の画像読取装置。
【請求項１３】
前記第１搬送回転体対によるシート搬送速度をＶ１とし、前記第２搬送回転体対によるシート搬送速度をＶ２として、Ｖ１とＶ２は、Ｖ１≦Ｖ２の関係を満たすように設定される、
ことを特徴とする請求項１２に記載の画像読取装置。
【請求項１４】
前記第１搬送回転体対によるシートの搬送方向は、鉛直方向の下向きの成分を有し、前記第２搬送回転体対によるシートの搬送方向は、鉛直方向の上向きの成分を有する、
ことを特徴とする請求項１２又は１３に記載の画像読取装置。
【請求項１５】
前記第１透明部材及び前記第２透明部材は、各表面に導電性コート処理が施された形でアースされている、
ことを特徴とする請求項１乃至１４のいずれか１項に記載の画像読取装置。
【請求項１６】
請求項１乃至１５のいずれか１項に記載の画像読取装置と、
前記画像読取装置によってシートから読み取られた画像情報に基づいて別のシートに画像を形成する画像形成手段と、を備える、
ことを特徴とする画像形成装置。
【発明の詳細な説明】
【技術分野】
【０００１】
本発明は、原稿等のシートから画像情報を読み取る画像読取装置、及びこれを備える画像形成装置に関する。
【背景技術】
【０００２】
従来、デジタル複写機等の画像形成装置に用いられる、両面対応の自動原稿給送装置などの原稿給送装置（以下、ＡＤＦ（Auto  Document  Feeder）と記載）を備えた画像読取装置がある。この種のＡＤＦを備えた画像読取装置は、ＡＤＦ内の原稿を複写する場合、ＡＤＦ下方のスキャナ部に設けられた画像読取部をモータで移動させ、ＡＤＦ内のプラテンローラと流し読みガラス間で原稿を搬送させながら走査し、その反射光を画像読取部で検出する。そして、この検出したデータに基づいて画像形成部で画像形成処理することで、複写画像が得られるように構成されている。
【０００３】
ところで、搬送される原稿の両面を同時（連続的）に読み取るようにＡＤＦ側とスキャナ部側とに対向するように画像読取部を備えた画像読取装置がある（特許文献１参照）。この特許文献１に示す画像読取装置では、ピンボケの発生を抑制するため、第１の読取位置及び第２の読取位置にそれぞれ対向して第１の読取ガイド部及び第２の読取ガイド部が配置されている。そして、これら第１の読取ガイド部及び第２の読取ガイド部が互いの隙間を変更可能に構成され、つまり第１の読取位置及び第２の読取位置における原稿搬送路を形成する隙間が変更可能となっている。
【先行技術文献】
【特許文献】
【０００４】
【特許文献１】特許第４８６９４０９号公報
【発明の概要】
【発明が解決しようとする課題】
【０００５】
しかしながら、この特許文献１に示す画像読取装置のように原稿の両面を同時に読み取るものは、第１の読取ガイド部がスキャナ部の側に設けられており、第２の読取ガイド部がＡＤＦの側に設けられている。ＡＤＦはスキャナ部に対して開閉自在に設けられており、ＡＤＦをスキャナ部に対して閉じた状態で、各種の部品公差などに起因して原稿搬送路の間隙の距離を良好に保つことは難しい。上記特許文献１に示す画像読取装置にあっても、第１の読取ガイド部がスキャナ部に設けられ、第２の読取ガイド部がＡＤＦに設けられている。そのため、ＡＤＦとスキャナ部との相対的な位置ずれがあると、両方の読取位置での間隙を良好に維持することが困難である。即ち、例えばＡＤＦがスキャナ部に対して閉じられた状態で第１の読取位置における間隙が良好となるように調整したとしても、第２の読取位置における原稿搬送路を形成する間隙が上記公差などによって良好になり難いという問題がある。
【０００６】
本発明は、シートの両面を同時に読み取るための第１画像読取部及び第２画像読取部を有する構成で、第２画像読取部でシートが通過する間隙を良好にすることが可能な画像読取装置及び画像形成装置を提供することを目的とする。
【課題を解決するための手段】
【０００７】
本発明の一態様は、第１透明部材と、シート搬送路を搬送されるシートの第１面の画像を前記第１透明部材を介して読み取る第１画像読取手段と、を有する本体部と、第２透明部材と、前記シート搬送路を挟んで前記第１画像読取手段の反対側に配置され、前記シート搬送路を搬送されてくるシートの第２面の画像を前記第２透明部材を介して読み取る第２画像読取手段と、を有し、前記本体部に対して開閉自在で、閉じられた状態で前記シート搬送路を形成する開閉部と、前記本体部に設けられ、前記シート搬送路を挟んで前記第２透明部材の反対側に配置され、前記第２透明部材に向かって移動自在な移動ガイド手段と、前記本体部に設けられ、前記移動ガイド手段を前記第２透明部材に向かって付勢する付勢手段と、前記第２透明部材と前記移動ガイド手段との一方に設けられ、前記第２透明部材と前記移動ガイド手段の他方と当接して、前記第２透明部材と前記移動ガイド手段の間をシートが通過可能な間隙を形成する間隙形成手段と、前記本体部において、前記移動ガイド手段のシート搬送方向上流に設けられると共に、シートの先端を前記第２透明部材に当接する方向に案内可能に傾斜する傾斜案内面を有する搬送ガイド手段と、を備え、前記搬送ガイド手段は、前記傾斜案内面の傾斜方向へ直線的に延びる第１延長線が、前記第２画像読取手段の第２画像読取位置よりシート搬送方向の上流側で前記第２透明部材に交わるように構成されている、ことを特徴とする画像読取装置である。
【発明の効果】
【０００８】
本発明によると、移動ガイド手段の第２透明部材に対する位置が間隙形成手段により位置決めされて、第２透明部材と移動ガイド手段との間隙を良好にすることができる。
【図面の簡単な説明】
【０００９】
【図１】本実施形態に係る画像形成装置を模式的に示す断面図。
【図２】（ａ）は第１の実施形態に係るＣＩＳの説明図、（ｂ）は（ａ）のＣＩＳの部分斜視図。
【図３】第１の実施形態に係る画像読取装置を示す構成図。
【図４】第１の実施形態に係る画像読取部を示す拡大図。
【図５】第１の実施形態に係るヒンジ機構についての説明図。
【図６】（ａ）は第１の実施形態に係る第１流し読みガラスにおける原稿接触位置の説明図、（ｂ）は第１の実施形態に係る第２流し読みガラスにおける原稿接触位置の説明図。
【図７】（ａ）は第２流し読みガラスに原稿が接触した状態を示す説明図、（ｂ）は第２流し読みガラスの異物を原稿により掻き取る状態を示す説明図、（ｃ）は第２流し読みガラスの異物を取り除く状態を示す説明図。
【図８】（ａ）は原稿搬送時の拘束位置を示す図、（ｂ）は（ａ）において原稿搬送中の第２画像読取部及びその近傍を拡大した図、（ｃ）は原稿後端が搬送ローラ対のニップ部を抜けたときの原稿姿勢を示す図。
【図９】第１の実施形態に係る原稿搬送中の第１画像読取部を示す拡大図。
【図１０】第２の実施形態に係る画像読取部を示す拡大図。
【図１１】第２の実施形態に係る密閉ガイド及び第２流し読みガラスを示す斜視図。
【図１２】第２の実施形態に係る移動ガイドユニット及び第２流し読みガラスの部分を拡大して示す斜視断面図。
【図１３】本発明の第３の実施形態に係る画像読取装置を示す構成図。
【図１４】（ａ）は第３の実施形態に係る画像読取部を示す拡大図、（ｂ）は画像読取部における原稿搬送時の拘束位置を示す図。
【図１５】（ａ）は本発明の第４の実施形態に係る画像読取部を示す拡大図、（ｂ）は画像読取部における原稿搬送時の拘束位置を示す図。
【図１６】画像読取部の別の態様を示す拡大図。
【図１７】（ａ）は比較例１における画像読取部を示す構成図、（ｂ）は画像読取部に原稿が侵入した状態を示す説明図、（ｃ）は第１画像読取部の原稿読取位置に原稿の先端がある状態を示す説明図、（ｄ）は原稿の先端が異物を掻き取った状態を示す説明図。
【発明を実施するための形態】
【００１０】
＜第１の実施形態＞
以下、本発明の実施形態に係る画像読取装置及び画像形成装置について、図面を参照しながら説明する。本実施形態に係る画像形成装置は、複写機、ファクシミリ、プリンタ、及びこれらの複合機等から構成可能であり、スキャナ部と、スキャナ部の画像読取部（画像読取手段）に原稿（シート状原稿）を給送可能なＡＤＦと、を有する画像読取装置を備えている。この画像読取装置は、ＡＤＦを備えたフラットベッドスキャナのように装置単体として構成する場合の他、複写機やファクシミリなどの画像形成装置における画像読取部として用いられて好適なものである。なお、以下の実施形態に記載されている構成部品の寸法、材質、形状、その相対配置などは、特に特定的な記載がない限りは、この発明の範囲をそれらのみに限定する趣旨のものではない。
【００１１】
［画像形成装置］
まず、本実施形態に係る画像形成装置の概略構成について図１を参照しながら説明する。図１は、本第１の実施形態に係る画像形成装置のシート搬送方向に沿った断面図である。なお、以下では、ユーザーが画像形成装置に対して各種入力／設定を行う不図示の操作部に臨む位置を画像形成装置の「手前側」といい、背面側を「奥側」という。つまり、図１は、手前側から見た画像形成装置の内部構成を示したものである。図１に示す画像形成装置は、後述する第２、第３及び第４の実施形態においても同様に用いられる。なお、各図面において、同一部品及び同一部分には同じ符号を付し、重複した説明は省略する。
【００１２】
図１に示すように、画像形成装置１０１は、画像形成装置本体１０１Ａと、画像形成装置本体１０１Ａの上部に設けられた画像読取装置１０３とを備えている。画像読取装置１０３は、スキャナ部（画像読取装置本体）３０と、スキャナ部３０の上に設けられたＡＤＦ（シート搬送手段）１とから構成されている。さらに、画像形成装置１０１は、画像読取装置１０３及び画像形成装置本体１０１Ａ等を制御する、ＣＰＵ，ＲＡＭ，ＲＯＭを有する制御部１３２を備えている。
【００１３】
ＡＤＦ１は、ユーザーによって原稿給送トレイ２に積載された原稿（シート）Ｄをスキャナ部３０に自動的に給送するように構成されている。スキャナ部３０は、画像読取位置にて、搬送されている原稿Ｄに照射した光の反射光を受光して、原稿Ｄを光学的に読み取って電気信号に変換し、その電気信号に基づいて画像データ（画像読取情報）を作成するように構成される。なお、ＡＤＦ１及びスキャナ部３０の詳細については、後述する。
【００１４】
画像形成装置本体１０１Ａは、記録媒体であるシートＰに画像を形成する画像形成部１３３と、画像形成部１３３にシートＰを給送するシート給送部３４とを有している。シート給送部３４は、シートが積載されるシート積載部１３７ａ，１３７ｂ，１３７ｃ，１３７ｄと、各積載部１３７ａ〜１３７ｄ内のシートを給送する給送ローラ３２と、シートを１枚ずつ分離しつつ搬送する搬送ローラ３３ａと分離ローラ３３ｂとを有する。さらに、画像形成装置本体１０１Ａは、画像が形成されたシートＰを画像形成装置本体１０１Ａの外方（機外）に排出する排出ローラ対４０と、排出されたシートＰが積載されるシート排出トレイ１３０とを有している。画像形成装置本体１０１Ａは、画像データに基づき、画像形成部１３３によりシートＰに複写画像を形成するように構成される。
【００１５】
画像形成部１３３は、感光ドラム１２１と、その周囲に配置された帯電器１１８、現像器１２４、転写帯電器１２５及び分離帯電器１２６と、を有している。画像形成装置本体１０１Ａでは、原稿Ｄの画像の電気信号や画像データに基づいて露光器１２３を作動させて、回転する感光ドラム１２１の表面に静電潜像を形成する。静電潜像は、現像器１２４で現像（トナーを供給）されてトナー画像となる。なお、画像形成部１３３及び定着部１２９により、画像読取装置１０３によって原稿Ｄから読み取られた画像情報に基づいて原稿Ｄとは別のシートであるシートＰに画像を形成する画像形成手段が構成される。
【００１６】
画像形成装置本体１０１Ａの下部には、各種サイズのシートＰを装填したシート積載部１３７ａ，１３７ｂ，１３７ｃ，１３７ｄが配置されている。シート積載部１３７ａ〜１３７ｄに収納されたシートＰはそれぞれ、対応する給送ローラ３２によって１枚ずつ繰り出され、対応する搬送ローラ３３ａ及び分離ローラ３３ｂに受け渡される。シートＰは、手差しトレイ１３７ｅからも分離給送ローラ対１３８によって給送される。
【００１７】
シート積載部１３７ａ〜１３７ｄの何れかもしくは手差しトレイ１３７ｅから給送されたシートＰは、各対応する搬送ローラ対１３１を介してレジストレーションローラ対１３６に搬送される。そして、シートＰは、レジストレーションローラ対１３６で斜行を矯正（斜行補正）され、かつ感光ドラム１２１上のトナー画像と位置を合わされて、感光ドラム１２１と転写帯電器１２５との間に供給される。このシートＰは、転写帯電器１２５により感光ドラム上のトナー画像を転写され、分離帯電器１２６により感光ドラム１２１から分離される。クリーナ１２７は、トナー画像を転写した感光ドラム１２１の表面をクリーニングする。そして、帯電器１１８は、次の露光に備えて感光ドラム１２１の表面を帯電する。
【００１８】
トナー画像を転写されたシートＰは、ベルト搬送部１２８によって定着部１２９に搬送され、定着部１２９で加熱と加圧を受けて表面にトナー画像を定着される。そして、トナー画像が定着されたシートＰは、排出ローラ対４０を介して排出トレイ１３０に排出される。
【００１９】
［画像読取装置］
次に、図３及び図４を参照して、本実施形態に係るＡＤＦ１及びスキャナ部３０の詳細について説明する。なお、図３は、本実施形態に係る画像読取装置１０３の全体を示す構成図、図４は、本実施形態に係る画像読取部を拡大して示す拡大図である。
【００２０】
上述したように、画像読取装置１０３は、本体部の一例であるスキャナ部３０と、スキャナ部３０に対して開閉自在に構成された開閉部の一例であるＡＤＦ１とから構成されている。即ち、この画像読取装置１０３は、原稿台ガラス２１３が手前側から開閉可能となるように、奥側に配設された後述のヒンジ機構１１により、ＡＤＦ１がスキャナ部３０に回動可能に支持されている。画像読取装置１０３は、原稿搬送路Ｈに臨む２カ所に第１画像読取部１５１と第２画像読取部２０１を設けることで、原稿Ｄの表面（第１面Ｄ１：図７）の画像を読み取ると共に裏面（第２面Ｄ２：図７）の画像も読み取るデュアルスキャン方式が適用されている。以下、スキャナ部３０及びＡＤＦ１について、具体的に説明する。
【００２１】
図３及び図４に示すように、ＡＤＦ１は、原稿Ｄを自動的に、第１画像読取部１５１による第１画像読取位置Ｒ１と、第２画像読取部２０１による第２画像読取位置Ｒ２とに送り込むように構成されている。ＡＤＦ１は、原稿Ｄの幅方向に沿って細長状に延在する自動原稿搬送部（原稿給送部２３）を備えている。この自動原稿搬送部には、原稿給送ローラ４、分離ローラ５、リタードローラ６、レジストレーションローラ対７、搬送ローラ対８，９、及び排出ローラ対１０が配置されている。
【００２２】
原稿給送ローラ４は、原稿給送トレイ２に積載された原稿Ｄを給送するように図３の破線位置から実線位置に移動可能に支持されている。分離ローラ５及びリタードローラ６は、原稿給送ローラ４により原稿給送トレイ２から繰り出される原稿Ｄを１枚ずつに分離する。レジストレーションローラ対７は、分離ローラ５及びリタードローラ６の下流に配置されて原稿Ｄの斜行を矯正（補正）する。排出ローラ対１０は、搬送ローラ対９の下流に配置され、画像読取を終えた原稿Ｄを原稿排出部３に排出する。自動原稿搬送部の一端面側（図３の右端面側）の上方位置には、画像読み取り前の原稿Ｄが積載される原稿給送トレイ２が片持ち状態で略水平に突出するように取り付けられている。
【００２３】
スキャナ部３０は、第１透明部材としての第１流し読みガラス（プラテンガラス）１５２と、第１流し読みガラス１５２と副走査方向（図３の左右方向）に並んで配置された原稿台ガラス２１３とを有している。第１画像読取手段としての第１画像読取部１５１は、シート搬送路としての原稿搬送路Ｈを搬送される原稿Ｄの第１面Ｄ１の画像を第１流し読みガラス（第１透明部材）１５２を介して読み取るように構成されている。また、第２画像読取手段としての第２画像読取部２０１は、第１画像読取部１５１の原稿搬送方向（矢印Ｆ方向）の下流に配置され、原稿搬送路Ｈを挟んで第１画像読取部１５１の反対側に配置されている。この第２画像読取部２０１は、原稿搬送路Ｈを搬送されてくる原稿Ｄの第２面Ｄ２の画像を第２流し読みガラス（第２透明部材）２０２を介して読み取るように構成されている。
【００２４】
第１画像読取部１５１には、等倍光学系の密着型イメージセンサ（以下、ＣＩＳ（Contact  Image  Sensor）と表記する）が用いられている。このＣＩＳは、光源としてＬＥＤアレイ（不図示）から原稿Ｄの画像情報面に光を照射し、画像情報面で反射した反射光をセンサ素子（光電変換素子１５：図２）に結像して画像情報を読み取るものである。第２画像読取部２０１にも、第１画像読取部１５１と同様にＣＩＳが用いられている。本実施形態における第１画像読取部１５１及び第２画像読取部２０１は夫々、第１流し読みガラス１５２及び第２流し読みガラス２０２を介して、搬送されてくる原稿Ｄの読取画像面に読取光学系の焦点を合わせるように構成されている。
【００２５】
第１画像読取部１５１は、不図示の駆動ベルトに接続されている。第１画像読取部１５１は、スキャナ部３０に備えた駆動モータＭ４が制御部１３２の制御で駆動することで、第１流し読みガラス１５２の下方の流し読み位置Ｐ２と、位置Ｐ１と、原稿台ガラス２１３の下方の終端位置Ｐ３との間を移動可能に構成される。上記流し読み位置Ｐ２は、即ち、第１画像読取位置Ｒ１である。第１画像読取部１５１は、原稿搬送路Ｈを搬送される原稿Ｄの第１面Ｄ１の画像を、流し読み位置Ｐ２（第１画像読取位置Ｒ１）で第１流し読みガラス１５２を介して読み取るように構成される。第１画像読取部１５１の位置は、ポジションセンサ（不図示）と駆動モータＭ４の回転パルス数とにより、制御部１３２が把握することが可能になっている。
【００２６】
本実施形態において、第１画像読取部１５１を流し読み位置Ｐ２に停止させた状態で、ＡＤＦ１によって原稿Ｄを第１流し読みガラス１５２上で移動させながら画像を読み取る形態を「流し読み」という。また、原稿台ガラス２１３上に原稿Ｄを載置し、第１画像読取部１５１を位置Ｐ１と終端位置Ｐ３との間で図３左右方向に移動させながら画像を読み取る形態を「固定読み」という。
【００２７】
ＡＤＦ１は、原稿給送トレイ２と、原稿給送部２３と、原稿排出部３とを有している。原稿給送トレイ２には、流し読みのための原稿Ｄが積載される。原稿給送部２３は、流し読みをする際に、原稿搬送路Ｈを介して原稿Ｄを所定の画像読取位置（流し読み位置Ｐ２、第１画像読取位置Ｒ１）に給送する。原稿排出部３には、流し読みされた原稿Ｄが排出されて積載される。また、ＡＤＦ１は、固定読みをする際に原稿台ガラス２１３に載置された原稿Ｄが移動しないように、不図示の樹脂製プレートによって原稿Ｄを押圧可能に構成されている。
【００２８】
原稿給送トレイ２の下方に配置された原稿排出部３は、第１画像読取位置Ｒ１と第２画像読取位置Ｒ２とで画像を読み取られて上記自動原稿搬送部から送り出される原稿Ｄを受ける。各画像読取位置Ｒ１，Ｒ２では、透明で原稿Ｄをガイドする第１流し読みガラス１５２と、第２流し読みガラス２０２とが原稿搬送路Ｈを互いに挟み込むように配置される。原稿排出部３は、自動原稿搬送部における一端面側の下方位置から略水平に突出するように取り付けられており、その原稿排出部３の上面側に排出された原稿Ｄが積層状に積載されるように構成される。これらの原稿給送トレイ２及び原稿排出部３は、上下方向において適宜の間隔をなして上下で対面するように配置され、平面視においてほぼ重なり合う重合配置関係になされている。
【００２９】
［画像の読取位置］
次に、図３を参照して、ＡＤＦ１が原稿Ｄを第１画像読取部１５１と第２画像読取部２０１に搬送して、原稿Ｄの第１面Ｄ１と第２面Ｄ２を連続して読み取る場合について説明する。
【００３０】
図３に示すように、原稿給送トレイ２上には複数枚の原稿Ｄが積層状に積載され、読み取りモードをユーザーが選択した後、原稿給送ローラ４より上流側に位置する原稿検知センサＳ１による原稿Ｄの有無の検知に基づき、制御部１３２（図１参照）が判断する。制御部１３２によって原稿Ｄが検知されたと判断されると、スキャナ部３０の位置Ｐ１にある第１画像読取部１５１が、揺動可能に支持されているキャリッジＣに積載された状態でシャフト部（不図示）に案内されて流し読み位置Ｐ２に向けて移動させられる。
【００３１】
その後、制御部１３２の制御により原稿給送ローラ４が、図３の破線位置から実線位置に下降させられて、原稿Ｄを原稿給送部２３への入口側搬送パス空間に送り込む。そして、原稿給送部２３における分離ローラ５まで原稿給送ローラ４の回転駆動力で搬送された原稿Ｄは、分離ローラ５とその下方からバネ付勢されているリタードローラ６との間の摩擦力によって１枚ずつに分離される。分離された原稿Ｄは、回転を停止しているレジストレーションローラ対７にその先端を突き当てられる。制御部１３２の制御による駆動モータＭｏの駆動で、レジストレーションローラ対７が回転させられると、このローラ対７により搬送される原稿Ｄの先端は、以下のように検知される。即ち、レジストレーションローラ対７の原稿搬送方向（矢印Ｆ方向）の上流側に設置された原稿検知センサＳ２のフラグ（不図示）で検知される。
【００３２】
そして、レジストレーションローラ対７は、図３における駆動モータＭｏと上記ローラ対７との間に接続された電磁クラッチＣＬが制御部１３２の制御で作動することで駆動伝達を遮断され、一定時間、回転を停止させられる。原稿Ｄは、レジストレーションローラ対７が停止している間に分離ローラ５により搬送され続けるため、原稿Ｄは、ループが形成されて斜行を取り除かれる（斜行補正）。なお、図３のように、制御部１３２の制御で作動する駆動モータＭｏは、分離ローラ５、搬送ローラ対８，９、排出ローラ対１０を回転させる。そして、この駆動モータＭｏは、分離ローラ５を介して原稿給送ローラ４を回転させ、電磁クラッチＣＬを介してレジストレーションローラ対７を回転させる。
【００３３】
原稿給送部２３におけるレジストレーションローラ対７と搬送ローラ対８との間には、原稿検知センサＳ３が配置されている。搬送ローラ対８と搬送ローラ対９との間の搬送経路内には、第１画像読取位置Ｒ１と第２画像読取位置Ｒ２とが設けられている（図４参照）。第１画像読取位置Ｒ１は、前述したようにスキャナ部３０の第１画像読取部１５１が原稿Ｄの第１面Ｄ１（図７参照）を読み取る位置であり、第２画像読取位置Ｒ２は、ＡＤＦ１の第２画像読取部２０１が原稿Ｄの第２面Ｄ２を読み取る位置である。
【００３４】
斜行補正を施された原稿Ｄは、レジストレーションローラ対７によって搬送ローラ対８に搬送される。制御部１３２は、原稿検知センサＳ３の検知に基づいて原稿Ｄの先端と第１画像読取位置Ｒ１との読取タイミングを合わせ、搬送ローラ対８の駆動を制御して第１画像読取位置Ｒ１に送り込む。この原稿Ｄは、第１画像読取位置Ｒ１と第２画像読取位置Ｒ２とにより両面の画像を読み取られつつ搬送ローラ対９により搬送された後、排出ローラ対１０により原稿排出部３の積載面上に順次排出されて積層される。
【００３５】
ところで、スキャナ部３０の圧板部（原稿台ガラス２１３部分）で原稿Ｄを読み取る場合には、ＡＤＦ１をヒンジ機構１１（図５参照）を介して回動させてスキャナ部３０から開放させ、原稿台ガラス２１３の上方に位置させる。この後、ＡＤＦ１をスキャナ部３０に向けて閉じた状態とし、ユーザーが複写操作を行うと、待機位置Ｐ１で待機している第１画像読取部１５１が、揺動支持されているキャリッジＣに積載された状態でシャフト部（不図示）に案内される。そして、この第１画像読取部１５１は、画像を読み取りながら終端位置Ｐ３に移動する。その結果、原稿台ガラス２１３上の原稿Ｄの画像が第１画像読取部１５１によって読み取られる。
【００３６】
［ヒンジ機構］
ここで、上記ヒンジ機構１１について図５を参照して説明を行う。図５は第１の実施形態に係るヒンジ機構についての説明図である。ヒンジ機構１１は、図５に示すように、画像読取装置１０３の奥側でＡＤＦ１とスキャナ部３０とを連結し、回転軸１２を中心としてＡＤＦ１をスキャナ部３０に対して矢印Ｅ方向に回動させるように支持している。これにより、ＡＤＦ１は、スキャナ部３０側の原稿台ガラス２１３（図３参照）に対して開閉可能に構成される。また、ヒンジ機構１１は、スキャナ部３０に対して矢印Ｉ方向（上下方向）に移動可能に取り付けられており、厚みのある原稿Ｄを読み取る場合に対処できるように構成されている。
【００３７】
［ＡＤＦ及び画像読取装置の読取構成］
続いて、図３及び図４を参照して、本実施形態に係るＡＤＦ１及びスキャナ部３０の読取部近傍の構成について詳細に説明する。
【００３８】
図３及び図４に示すように、第２画像読取部２０１は、原稿搬送路Ｈを含む原稿給送部２３において原稿の搬送時に発生する異物が、第２画像読取部２０１の読取部位及び第２流し読みガラス２０２の裏面等に侵入しないように構成される。その実現のため、第２画像読取部２０１は、密閉ガイドＧと第２流し読みガラス２０２とで密閉されたカバーモジュールＭに収納されている。密閉ガイドＧと第２流し読みガラス２０２とは、相互間の隙間を埋めるために例えば接着材などで固定されている。
【００３９】
第２画像読取部２０１からの信号線ケーブルは、密閉ガイドＧの一部に設けられた開口部（不図示）を経由して、画像形成装置１０１内に設けられた画像処理部（不図示）と接続されている。この開口部の周囲は、スポンジ状の弾性部材で信号ケーブルを囲うように覆われて、紙粉等の異物の侵入を防止されている。
【００４０】
密閉ガイドＧの内部には、第２画像読取部２０１を第２流し読みガラス２０２に押し付けるための圧縮スプリング２０３が縮めて設けられている。第２画像読取部２０１は、不図示のスペーサーを介して第２流し読みガラス２０２の裏側に当接している。また、カバーモジュールＭは、ＡＤＦ１の搬送フレーム（不図示）の内部に一端が接続された押圧バネＳｐによって第１流し読みガラス１５２の方向へ押圧されている。
【００４１】
ここで、密閉ガイドＧの一部や、上流側搬送ガイド４００の一部に突起を設け、この突起を第１流し読みガラス１５２に突き当てることで、第１流し読みガラス１５２と第２流し読みガラス２０２とで形成される原稿搬送路Ｈの隙間を保障している。また、図４に示すように、第２画像読取部２０１で原稿Ｄの裏面を読み取るときに薄紙の裏写りを防止するため、第２流し読みガラス２０２の下方には白シート部材２１２が設けられている。
【００４２】
上記上流側搬送ガイド４００は、密閉ガイドＧの一部から原稿搬送方向の上流側に突出するように設けられている。後に詳述するが、この上流側搬送ガイド４００は、読取部Ｒｅに搬送されてきた原稿Ｄの先端を第１画像読取部１５１の第１画像読取位置Ｒ１に案内する上流側傾斜案内面４０１を有している。なお、上流側搬送ガイド４００は、薄い板金状の部材、或いは薄い合成樹脂材等から構成することができる。
【００４３】
前述のように原稿Ｄを読み取る際、スキャナ部３０に備えられた第１画像読取部１５１は、制御部１３２の制御で第１画像読取位置Ｒ１（図４参照）まで移動させられる。また、ＡＤＦ１に備えられた第２画像読取部２０１は、第２画像読取位置Ｒ２（図４参照）において画像を読み取る。第１画像読取位置Ｒ１と第２画像読取位置Ｒ２との間の距離Ｌ（図４参照）は、各画像読取部１５１，２０１に設けられた照明（不図示）からの影響を互いに受けない適切な距離をもって決定されている。本実施形態では例えば、Ｌ＝１５．５ｍｍに設定されている。
【００４４】
第１画像読取部１５１と第２画像読取部２０１とは、原稿搬送路Ｈを挟んで互いに対向するように配置されている。また、第１画像読取部１５１と原稿搬送路Ｈとの間には第１流し読みガラス１５２が配置され、第２画像読取部２０１と原稿搬送路Ｈとの間には第２流し読みガラス２０２が配置されている。第１流し読みガラス１５２及び第２流し読みガラス２０２は、それぞれ板状ガラスによって構成することができる。
【００４５】
原稿搬送路Ｈには、第１流し読みガラス１５２に隣接して原稿搬送方向に一部が傾斜する下流側搬送ガイド５００が配置されている。下流側搬送ガイド５００と第２流し読みガラス２０２とは、隙間をあけて互いに対向して配置されている。また、第１流し読みガラス１５２と上流側搬送ガイド４００とは、隙間をあけて互いに対向して配置されている。原稿Ｄは、第１流し読みガラス１５２と上流側搬送ガイド４００とで形成される隙間と、第２流し読みガラス２０２と下流側搬送ガイド５００とで形成される隙間とを搬送されながら、画像を読み取られる。つまり原稿Ｄは、上記隙間を通る際に、第１画像読取部１５１と第２画像読取部２０１とによって、第１面Ｄ１と第２面Ｄ２から夫々画像を読み取られる。なお、下流側搬送ガイド５００は第１搬送ガイド手段を構成し、上流側搬送ガイド４００は第２搬送ガイド手段を構成し、これら上流側搬送ガイド４００及び下流側搬送ガイド５００により搬送ガイド（搬送ガイド手段）３００が構成されている。
【００４６】
上流側搬送ガイド４００は、原稿搬送路Ｈを構成し且つ下流側搬送ガイド５００と対向する側に配置され、搬送されてくる原稿Ｄの先端を第１流し読みガラス１５２に当接する方向に案内可能に傾斜する上流側傾斜案内面（第２傾斜案内面）４０１を有している。これにより、搬送されてくる原稿Ｄの先端を第１流し読みガラス１５２に当接するように高い精度で案内可能となる。下流側搬送ガイド５００は、第１流し読みガラス１５２に摺接しながら第１流し読みガラス１５２を通過する原稿Ｄの先端を第２流し読みガラス２０２に当接する方向に案内可能に傾斜する上流側傾斜案内面（傾斜案内面、第１傾斜案内面）５０１を有する。これにより、搬送されてくる原稿Ｄの先端を第２流し読みガラス２０２に当接するように高い精度で案内可能となる。
【００４７】
本実施形態では、第１流し読みガラス１５２と、この第１流し読みガラス１５２と平行となる上流側搬送ガイド４００の平行案内面４０２との間の隙間は、例えば０．６ｍｍに設定されている。また、第２流し読みガラス２０２と、この第２流し読みガラス２０２と平行となる下流側搬送ガイド５００の平行案内面５０２との隙間は、例えば０．８ｍｍに設定されている。
【００４８】
第１画像読取部１５１は、キャリッジＣ内に備えられた圧縮スプリング１５３（図３参照）によって第１流し読みガラス１５２の方向に押圧付勢されている。第１画像読取部１５１の両端に取り付けられたスペーサー（不図示）が第１流し読みガラス１５２と当接することで、原稿搬送路Ｈを通過する原稿Ｄの第１面Ｄ１との適切な焦点距離を保証している。
【００４９】
一方、第２画像読取部２０１は、密閉ガイドＧ内に配置された圧縮スプリング２０３（図３参照）によって第２流し読みガラス２０２の方向へ押圧付勢されている。そして、第２画像読取部２０１の両端に取り付けられたスペーサー（不図示）が第２流し読みガラス２０２と当接することで、原稿搬送路Ｈを通過する原稿Ｄの第２面Ｄ２（図７参照）との適切な焦点距離を保証している。
【００５０】
［第１、第２画像読取部に用いられるＣＩＳ］
ここで、先述した第１画像読取部１５１及び第２画像読取部２０１に用いられるＣＩＳ３５の構造について、図２（ａ），（ｂ）を参照して詳細に説明する。なお、図２（ａ）は、本実施形態に係るＣＩＳ３５の説明図、図２（ｂ）は、図２（ａ）のＣＩＳ３５の部分斜視図である。
【００５１】
本実施形態では、画像読取手段の一例としてＣＩＳ（Contact  Image  Sensor）３５を使用している。図２（ａ）に示すように、このＣＩＳ３５はフレーム１８を有しており、このフレーム１８には、原稿Ｄに光照射するＬＥＤを用いた光源（不図示）と、導光体１３とから構成される照明装置が装着されている。この導光体１３は、光源から出射光を取り入れ、原稿読取領域の主走査方向の長さにわたって照射光量が略均一になるように出射する。
【００５２】
さらに、フレーム１８には、センサアレイが搭載されたセンサ基板１６と、原稿Ｄの光学像をセンサアレイ上に結像するレンズアレイ１７とが配置されている。センサアレイは、原稿Ｄの光学像１４（図２（ｂ）参照）を電気信号に光電変換する受光部を複数備えた光電変換素子１５を主走査方向にライン配置して形成されている。センサ基板１６及びレンズアレイ１７等は、図２（ｂ）に示すように、画像形成部１３３（図１参照）による画像形成に係る主走査方向に沿って設けられている。
【００５３】
ここで、ＣＩＳ３５による原稿Ｄの画像読取領域は、光電変換素子１５を配置した領域を示し、光電変換素子１５は、副走査方向に搬送される原稿Ｄが斜行しても画像が読み取れるように主走査方向にて原稿Ｄの幅よりも端面が例えば３ｍｍ程度長く設定される。
【００５４】
本実施形態における画像読取領域とは、図２（ｂ）に示すように、光電変換素子１５が主走査方向に配置された長さＸのことである。ここで、例えばＡ４サイズの原稿Ｄを読み取ることが可能なＣＩＳの場合、短辺方向を、原稿Ｄを走査する主走査方向とすると、解像度６００ｄｐｉ（dot  per  inch）で約５１００画素分の光電変換素子１５が配列されていることになる。
【００５５】
次に、図４を用いて、第１流し読みガラス１５２及び第２流し読みガラス２０２の導通構造について詳細に説明する。
【００５６】
即ち、図４に示すように、第１流し読みガラス１５２は、その表面に導電性コート処理（ＩＴＯ(Indium  Tin  Oxide)処理）が施されており、表面抵抗率が、例えば２００〜５００［Ω／ｃｍ］に設定されている。第１流し読みガラス１５２の原稿搬送方向（矢印Ｆ）の上流側縁部には、第１流し読みガラス１５２の表面（上面）１５２ａから裏面（下面）１５２ｂにかけて、導電部材であるアルミニウムシート１５４が導電性両面テープ１５５で一体的に貼り付けられる。
【００５７】
アルミニウムシート１５４は、第１流し読みガラス１５２の表面と電気的に導通される。また、アルミニウムシート１５４は、画像読取装置１０３の例えば板金等の導電性を有する筐体１５６（図３参照）と結合されている。筐体１５６は、画像形成装置本体１０１Ａ（図１参照）と電気的に結合されて装置全体の導通がとられている。このように、第１流し読みガラス１５２は、表面に導電性コート処理が施された形でアース（フレームグランド）されている。
【００５８】
第２流し読みガラス２０２は、その表面に導電性コート処理（ＩＴＯ処理）が施されており、表面抵抗率が、例えば２００〜５００［Ω／ｃｍ］に設定されている。第２流し読みガラス２０２の上流側の縁部には、第１流し読みガラス１５２と同様に、アルミニウムシート２０４が導電性両面テープ２０５を介して一体的に貼り付けられている。また、不図示の導通部材によって、第１流し読みガラス１５２と同様に画像形成装置本体１０１Ａ（図１参照）と電気的に結合されて装置全体の導通がとられている。このように、第２流し読みガラス２０２は、表面に導電性コート処理が施された形でアース（フレームグランド）されている。
【００５９】
また、図４に示すように、上流側搬送ガイド４００は、原稿搬送方向（矢印Ｆ方向）の上流側から順に、上流側傾斜案内面４０１、平行案内面４０２、下流側傾斜案内面４０３、下流側傾斜案内面４０４を有している。先述した原稿給送動作で、搬送ローラ対８（図３）により原稿Ｄが搬送されると、この原稿Ｄは、第２流し読みガラス２０２に結合された上流側搬送ガイド４００の上流側傾斜案内面４０１と、第１流し読みガラス１５２の表面１５２ａとの間の隙間を通過する。さらに、この原稿Ｄは、第１流し読みガラス１５２と略平行に形成された上流側搬送ガイド４００の平行案内面４０２と表面１５２ａとの間の隙間を通過する。なお、平行案内面４０２は、第１流し読みガラス１５２に対向し第１画像読取位置Ｒ１の上流側及び下流側にそれぞれ位置する第１角部Ａ及び第２角部Ｂを有している（図８（ａ）〜（ｃ）、図９参照）。
【００６０】
また、下流側搬送ガイド５００は、原稿搬送方向の上流側から順に、上流側傾斜案内面５０１、平行案内面５０２、下流側傾斜案内面５０３を有している。第１流し読みガラス１５２側から原稿Ｄが搬送されると、この原稿Ｄは、下流側搬送ガイド５００の上流側傾斜案内面５０１と下流側傾斜案内面４０３との間の隙間を通過する。さらに、この原稿Ｄは、第２流し読みガラス２０２と略平行に形成された平行案内面５０２と第２流し読みガラス２０２の表面２０２ａとの間の隙間を通過し、下流側傾斜案内面４０４と下流側傾斜案内面５０３との間の隙間を通過する。
【００６１】
＜比較例１＞
ここで、流し読みガラスの表面に付着した異物を掻き取る構成を有する比較例１について、図１７（ａ）〜図１７（ｄ）に沿って説明する。図１７（ａ）は比較例１における画像読取部を示す構成図、図１７（ｂ）は画像読取部に原稿が侵入した状態を示す説明図である。また、図１７（ｃ）は第１画像読取部の原稿読取位置に原稿の先端がある状態を示す説明図、図１７（ｄ）は原稿の先端が異物を掻き取った状態を示す説明図である。
【００６２】
即ち、図１７（ａ）〜（ｄ）に示すように、比較例１では、原稿Ｄの両面を同時に読み取るスキャナ部側の第１画像読取部６０２とＡＤＦ側の第２画像読取部７０２とが対向して配置されている。そして、第１流し読みガラス６０１と第２流し読みガラス７０１とで形成される搬送パスを原稿Ｄを通過させながら画像を読み取る構成を備えている。
【００６３】
この構成によると、図１７（ａ）のように搬送される原稿Ｄの両面の画像を読み取る場合、原稿Ｄは、第１画像読取部側の第１流し読みガラス６０１と摺擦されつつ搬送される。その結果、第１面Ｄ１が接触した状態で搬送される過程で発生した異物Ｇｏが第１流し読みガラス上に溜まる。この際、特に異物Ｇｏが原稿読取位置に溜まると、画像記録のときに画像スジが発生してしまう。
【００６４】
図１７（ａ）のように、原稿Ｄと共に運ばれてきた異物Ｇｏが原稿Ｄと第１流し読みガラス６０１とで摺擦された後、原稿Ｄは第１流し読みガラス６０１を通過しながら搬送ガイド（不図示）に沿って搬送されていく。この異物Ｇｏは、第１流し読みガラス６０１に静電吸着されて滞留する。このとき、異物Ｇｏが偶発的に原稿読取位置にあると、原稿Ｄの読取中、第１画像読取部６０２又は第２画像読取部７０２により連続して読み取られることで画像スジが発生する。第１流し読みガラス６０１は、原稿搬送による帯電を防止するため、ガラス表面に導電性コートが塗布されて、第１流し読みガラス６０１と原稿Ｄとの間の電位差が小さくされている。これにより、異物Ｇｏが第１流し読みガラス６０１に付着することが防止可能にされている。その結果、第１流し読みガラス６０１に異物Ｇｏが付着しても、図１７（ｂ），（ｃ），（ｄ）のように、次に続く原稿Ｄの先端が第１流し読みガラス６０１に接触する過程で、第１流し読みガラス６０１上の異物Ｇｏを掻き取っていくことが可能になる。
【００６５】
画像が読み取られる過程において、原稿Ｄは、上流側の送りローラ対Ｒｏ１によって先端が第１流し読みガラス６０１に接触する。その後、この原稿Ｄは、下流側の送りローラ対Ｒｏ２に挟持されて搬送される。送りローラ対Ｒｏ１及び送りローラ対Ｒｏ２に挟持された原稿Ｄは、第１流し読みガラス６０１の端部もしくは第１流し読みガラス６０１と一体的に形成されたガイド部材（不図示）の一部に支持されながら搬送される。そのため、原稿Ｄの第１面Ｄ１は第１流し読みガラス６０１に接触しない。第１面Ｄ１は第１流し読みガラス６０１に接触しないため、特に異物Ｇｏが第１流し読みガラス６０１に付着することはない。しかし、原稿Ｄの搬送過程では、第２面Ｄ２に付着している異物Ｇｏは、例えば第１流し読みガラス６０１の帯電や原稿搬送中の跳ねなどにより偶発的に第２流し読みガラス７０１の裏面（下面）に付着することがある。ここで、原稿Ｄの先端は第２流し読みガラス７０１には接触しない。これは、送りローラ対Ｒｏ１の原稿Ｄの搬送方向は下方向を向いているのに対し、送りローラ対Ｒｏ２の原稿Ｄの搬送方向は上方向を向いているため、原稿Ｄの搬送軌跡が第２流し読みガラス７０１と接触しないからである。そのため、第２流し読みガラス７０１の裏面（下面）に付着した異物Ｇｏは原稿Ｄの先端で掻き取られることはない。従って、偶発的に第２流し読みガラス７０１の読取位置に異物Ｇｏが付着した場合、画像スジが発生してしまうことになり、ユーザーが頻繁に第２流し読みガラス７０１を清掃するなど、煩わしい作業を負担することになる。
【００６６】
［本実施形態の掻き取り動作］
次に、比較例１における上述の問題点を解消可能な本実施形態における原稿読取動作時の異物掻き取り動作について説明する。
【００６７】
即ち、図４のように、搬送ローラ対８等により搬送されてくる原稿は、その先端が上流側搬送ガイド４００の上流側傾斜案内面４０１で案内され、第１画像読取部１５１の第１画像読取位置Ｒ１より原稿搬送方向の上流側で第１流し読みガラス１５２に当接する。その後、この原稿Ｄの先端は、第１流し読みガラス１５２に隣接して配置された下流側搬送ガイド５００の上流側傾斜案内面５０１に案内される。さらに、この先端は、上流側傾斜案内面５０１に案内されながら第２流し読みガラス２０２の表面２０２ａに摺接する。このときの接触位置は、第２画像読取部２０１の第２画像読取位置Ｒ２より原稿搬送方向（矢印Ｆ方向）の上流側になるように上流側傾斜案内面５０１がレイアウトされている。上流側傾斜案内面５０１は、第１流し読みガラス１５２の原稿搬送方向に対してそのなす角度θ１が５°〜５５°の範囲内が好ましく、本実施形態の構成においての角度θ１は例えば８．５°に設定されている。
【００６８】
ここで、図６（ａ）及び（ｂ）を参照して、第１流し読みガラス１５２と第２流し読みガラス２０２とにおける原稿先端の接触位置について説明する。
【００６９】
図６（ａ）は、第１流し読みガラス１５２の第１画像読取位置Ｒ１における原稿先端の当接位置ｍ１を示したものである。原稿Ｄは、搬送ローラ対８の近傍に配置された搬送ガイド１５７の湾曲案内面１５７ａ（図３参照）に沿って第１流し読みガラス１５２まで案内され、その先端が、第１画像読取位置Ｒ１よりも距離Δａだけ原稿搬送方向（矢印Ｆ方向）の上流側で接触する。
【００７０】
このように、第２傾斜案内面としての上流側傾斜案内面４０１の面方向（傾斜方向）へ直線的に延びる第２延長線Ｑ（図４参照）が、第１画像読取部１５１の第１画像読取位置Ｒ１より原稿搬送方向の上流側で第１流し読みガラス１５２に交わる。これにより、第１画像読取部１５１によって原稿Ｄの第１面Ｄ１の画像を読み取るのに先立ち、第１流し読みガラス１５２の第１画像読取位置Ｒ１に対応する面を適正に清掃することが可能になる。
【００７１】
図６（ｂ）は、第２流し読みガラス２０２の第２画像読取位置Ｒ２における原稿先端の当接位置ｍ２を示したものである。原稿Ｄは、下流側搬送ガイド５００の上流側傾斜案内面５０１（図４参照）に案内され、その先端が、第２画像読取位置Ｒ２よりも距離Δｂだけ原稿搬送方向（矢印Ｆ方向）の上流側で接触する。本実施形態では、例えば、Δａ＝５（ｍｍ）、Δｂ＝３．５（ｍｍ）に設定されている。
【００７２】
このように、上流側傾斜案内面（傾斜案内面，第１傾斜案内面）５０１の面方向（傾斜方向）へ直線的に延びる第１延長線Ｊ（図４参照）が、第２画像読取部２０１の第２画像読取位置Ｒ２より原稿搬送方向の上流側で第２流し読みガラス２０２に交わる。これにより、第２画像読取部２０１によって原稿Ｄの第２面Ｄ２の画像を読み取るのに先立ち、第２流し読みガラス２０２の第２画像読取位置Ｒ２に対応する面を適正に清掃することが可能になる。
【００７３】
次に、原稿先端が上流側傾斜案内面５０１に案内された時に第２流し読みガラス２０２に接触することで、第２流し読みガラス２０２の表面２０２ａでの第２画像読取位置Ｒ２に付着した異物Ｇｏを掻き取る作用について図７（ａ）〜（ｃ）により説明する。なお、図７（ａ）は第２流し読みガラスに原稿が接触した状態を示す説明図、図７（ｂ）は第２流し読みガラスの異物を原稿により掻き取る状態を示す説明図、図７（ｃ）は第２流し読みガラスの異物を取り除く状態を示す説明図である。
【００７４】
上流側傾斜案内面５０１に案内された原稿Ｄの先端は、第２流し読みガラス２０２の第２画像読取位置Ｒ２に付着した異物Ｇｏよりも原稿搬送方向の上流側で表面２０２ａに接触する。原稿Ｄの先端は、そのまま第２流し読みガラス２０２に沿って搬送されて異物Ｇｏを掻き取る。（図７（ａ），（ｂ）参照）。そして、先端で異物Ｇｏを掻き取った原稿Ｄは、そのまま第２流し読みガラス２０２の表面２０２ａに沿って摺接しつつ搬送されるので、第２流し読みガラス２０２の表面２０２ａ上の異物Ｇｏは、第２画像読取位置Ｒ２から取り除かれる（図７（ｃ）参照）。
【００７５】
次に、図８（ａ）〜（ｃ）を参照して、原稿の挙動について説明する。なお、図８（ａ）は原稿搬送時の拘束位置を示す図、図８（ｂ）は、図８（ａ）において原稿搬送中の第２画像読取部２０１及びその近傍を拡大した図、図８（ｃ）は、原稿後端が搬送ローラ対８のニップ部を抜けたときの原稿姿勢を示す図である。なお、拘束位置とは、搬送ローラ対８及び搬送ローラ対９に挟持搬送されている原稿Ｄの搬送軌跡を指す。
【００７６】
原稿Ｄは、第１搬送回転体対としての搬送ローラ対８によって挟持搬送され、第２搬送回転体対としての搬送ローラ対９によって挟持搬送される（図３参照）。搬送ローラ対８は、原稿搬送路Ｈにおける原稿搬送方向（矢印Ｆ方向）の上流側に配置され、原稿Ｄを第１画像読取部１５１に搬送する。搬送ローラ対９は、原稿搬送路Ｈにおける原稿搬送方向の下流側に配置され、第１画像読取部１５１及び第２画像読取部２０１を通過した原稿Ｄを搬送する。搬送ローラ対８は、原稿Ｄを斜め下方向に搬送し、搬送ローラ対９は原稿Ｄを斜め上方向に搬送する。即ち、搬送ローラ対８による原稿Ｄの搬送方向は、鉛直方向の下向きの成分を有し、搬送ローラ対９による原稿Ｄの搬送方向は、鉛直方向上向きの成分を有している。これにより、原稿Ｄの搬送が滑らかになり安定する。
【００７７】
本実施形態では、搬送ローラ対８によるシート搬送速度をＶ１とし、搬送ローラ対９によるシート搬送速度をＶ２とするとき、Ｖ１≦Ｖ２の関係を満たすように設定されている。この設定は、制御部１３２による駆動モータＭｏ（図３参照）の制御、搬送ローラ対８，９を夫々回転させるように駆動モータＭｏの駆動を伝達する伝達機構（不図示）のギヤ比の設定等に基づく。この設定は、後述する第２及び第３の実施形態においても同様である。
【００７８】
このように搬送ローラ対９のシート搬送速度Ｖ２と搬送ローラ対８のシート搬送速度Ｖ１がＶ１≦Ｖ２の関係を満たすように設定されることで、原稿は図８（ａ）の矢印Ｆ方向に向けて上流側搬送ガイド４００、第２流し読みガラス２０２の方へ引き寄せられる。原稿は、平行案内面４０２と上流側傾斜案内面４０１で形成される第１角部Ａと、平行案内面４０２と下流側傾斜案内面４０３で形成される第２角部Ｂと、第２流し読みガラス２０２と下流側傾斜案内面４０４で形成される第３角部Ｋに接触した状態で搬送される。なお、上流側搬送ガイド４００は、図８（ａ）における手前・奥方向にて第２流し読みガラス２０２を避けながら第２流し読みガラス２０２の下流側に突出する形で下流側傾斜案内面４０４が形成されている。
【００７９】
ここで、第２角部Ｂは、下流側搬送ガイド５００の上流側傾斜案内面５０１と平行案内面５０２とで形成される第４角部Ｎに対して鉛直方向の下方に位置する。そのため、読取中に第１角部Ａ、第２角部Ｂ、第３角部Ｋに支持されながら搬送される原稿Ｄの裏面は、第２流し読みガラス２０２の表面２０２ａから離れた状態で搬送される（図８（ｂ）参照）。
【００８０】
上述したように原稿Ｄは、搬送ローラ対８のみで搬送されている際に第２流し読みガラス２０２の表面２０２ａに先端が接触するので、偶発的に第２画像読取位置Ｒ２に付着した異物Ｇｏを掻き取ることが可能である。また、搬送ローラ対８と搬送ローラ対９により原稿Ｄが搬送される過程で原稿Ｄの第２面Ｄ２が表面２０２ａに接触することはないため、第２面Ｄ２に付着した異物Ｇｏが第２流し読みガラス２０２に付着するようなことはない。
【００８１】
ところで、本実施形態における第１画像読取部１５１及び第２画像読取部２０１はいずれもＣＩＳから構成されている。一般的にＣＩＳは、焦点深度が浅く０．３ｍｍ〜０．４ｍｍ程度である。従って、原稿Ｄの搬送中に、第１画像読取位置Ｒ１、第２画像読取位置Ｒ２で原稿Ｄが焦点位置から離れてしまうと、読み取られる画像が所謂ピンボケ状態（ピントが合っていない状態）のものとなる。
【００８２】
第１画像読取位置Ｒ１においては、第１画像読取部１５１の焦点位置は、第１流し読みガラス１５２の通紙面（表面１５２ａ）である。このとき、先述したように、原稿先端が第１流し読みガラス１５２に沿って搬送されるときは表面１５２ａに沿っているため、原稿Ｄの情報は焦点位置と一致している。しかし、下流側搬送ガイド５００の上流側傾斜案内面５０１に差しかかると、原稿のＤ先端が上方向に持ち上げられるため、第１画像読取位置Ｒ１で原稿Ｄが浮き上がる。
【００８３】
また、原稿Ｄが搬送ローラ対８と搬送ローラ対９で搬送される際、先述したように第１角部Ａ、第２角部Ｂ、第３角部Ｋに接触しながら移動するので、図９に示すように、焦点位置から上方向に浮き上がる。この際、上流側搬送ガイド４００と第１流し読みガラス１５２の表面１５２ａとで形成される搬送経路内での原稿Ｄの移動を規制することができる。その結果、原稿Ｄは、第１画像読取部１５１の焦点深度が許容される距離δ１の範囲内で安定して搬送される。本実施形態では、第１流し読みガラス１５２と上流側搬送ガイド４００の平行案内面４０２との距離は、例えば０．６ｍｍに設定されている。
【００８４】
同様に、第２画像読取位置Ｒ２においても、図８（ｂ）のように原稿Ｄが搬送ローラ対８と搬送ローラ対９とに搬送されながら画像を読まれているときは、第２角部Ｂと第３角部Ｋとに接触しながら搬送される。その結果、第２画像読取位置Ｒ２において原稿Ｄの焦点位置が第２流し読みガラス２０２の通紙面（表面２０２ａ）から距離δ２の範囲内で保障される。本実施形態では、第２画像読取部２０１の焦点深度の許容される距離内で原稿Ｄが搬送されるように、下流側搬送ガイド５００の平行案内面５０２と第２流し読みガラス２０２の表面２０２ａとの間の距離は、例えば０．４ｍｍに設定されている。ここで図８（ｃ）に示すように、原稿Ｄが搬送されると、原稿Ｄの後端は搬送ローラ対８から離れ、下流側搬送ガイド５００の平行案内面５０２から下流側傾斜案内面５０３に沿って搬送される。この際、原稿Ｄの後端によって平行案内面５０２及び下流側傾斜案内面５０３が清掃されることになる。
【００８５】
また、上流側搬送ガイド４００の平行案内面４０２により、原稿Ｄが搬送ローラ対８と搬送ローラ対９との引っ張り合いにより、第１画像読取位置Ｒ１及び第２画像読取位置Ｒ２においての焦点が許容される位置から原稿Ｄが離れてしまうことを防止できる。
【００８６】
平行案内面５０２の原稿搬送方向の上流端部において第２角部Ｂより高い位置に設けられた第４角部Ｎに、図１５（ａ），（ｂ）に示す従動ローラｒｏと同様の、原稿Ｄに接しつつ従動回転する従動ローラｒｏを設けることが可能である。このような構成により、原稿Ｄの搬送状況をより一層滑らかにすることが可能になる。
【００８７】
以上の本実施形態により、原稿の両面画像を第１画像読取部１５１と第２画像読取部２０１とで一度の通紙で読み取り可能な画像読取装置１０３で、第１、第２流し読みガラス１５２，２０２に付着した異物を簡易な構成で掻き取って除去することが可能になる。このため、画像スジの発生を防止することができ、安定した原稿Ｄの搬送を実現することが可能になる。
【００８８】
＜第２の実施形態＞
次に、本発明の第２の実施形態について、図１０乃至図１２を参照して説明する。図１０は第２の実施形態に係る画像読取部を示す拡大図、図１１は第２の実施形態に係る密閉ガイド及び第２流し読みガラスを示す斜視図、図１２は第２の実施形態に係る移動ガイドユニット及び第２流し読みガラスの部分を拡大して示す斜視断面図である。
【００８９】
本実施形態は、下流側搬送ガイド５００に、第２流し読みガラス２０２に向かって移動自在な移動ガイドユニット５５０を配置した点で第１の実施形態と異なるが、他の構成は同様である。なお、本実施形態では、第１の実施形態と同一の部材には同一符号を付すと共に、構成、機能が同じものについてはその説明を省略する。
【００９０】
上述したように第１画像読取部１５１と第２画像読取部２０１とにおいては、原稿を読み取るイメージセンサとして例えばＣＩＳを用いており、その焦点距離に基づきピンボケを生じない距離の範囲が狭い。そのため、第１、第２流し読みガラス１５２，２０２と、それに対向する部材との距離を精度良く管理し、原稿を第１、第２流し読みガラス１５２，２０２から上記範囲内の距離で通過させたい。しかしながら、第１流し読みガラス１５２及び下流側搬送ガイド５００は画像形成装置本体１０１Ａに固定されたスキャナ部３０に設けられ、第２流し読みガラス２０２及び上流側搬送ガイド４００はＡＤＦ１に設けられている。即ち、スキャナ部３０に対してＡＤＦ１が閉じられた際に、それぞれの部材が高精度に位置決めされることが要求される。しかしながら、各種部品の公差などによって、第１流し読みガラス１５２と上流側搬送ガイド４００との間隙（距離）、第２流し読みガラス２０２と下流側搬送ガイド５００との間隙（距離）、の両方の間隙を高精度に位置決めすることは難しい。そのため、本第２の実施形態では、まず第１流し読みガラス１５２と上流側搬送ガイド４００との間隙を保証し、その上で、第２流し読みガラス２０２に対向する間隙を移動ガイドユニット５５０を用いて保証するものである。以下に、本第２の実施形態に係る画像読取装置について詳細に説明する。
【００９１】
図１０に示すように、上流側搬送ガイド４００には、第１流し読みガラス１５２に対向する位置であって、シート搬送方向に交差する方向で原稿搬送路Ｈの外側に第１間隙形成部材（第１間隙形成手段）４７０が固定されて備えられている。即ち、第１間隙形成部材４７０は、原稿搬送路Ｈを搬送される原稿と干渉しない位置に配置されている。そして、第１間隙形成部材４７０は、ＡＤＦ１がスキャナ部３０に対して閉じられた際に第１流し読みガラス１５２に当接して、第１流し読みガラス１５２と上流側搬送ガイド４００との間に原稿が通過可能な間隙を形成する。なお、第１間隙形成部材４７０は、複数であって、原稿搬送路Ｈを挟んで両側に配置されていてもよいが、１つだけが片側に配置されていてもよい。また、第１間隙形成部材４７０は、図１０では上流側傾斜案内面４０１に固定されたものを示しているが、平行案内面４０２に固定されていてもよく、つまり第１流し読みガラス１５２に当接可能な位置であればよい。
【００９２】
一方、図１０乃至図１２に示すように、第２流し読みガラス２０２には、移動ガイドユニット５５０に対向する位置であって、シート搬送方向に交差する方向で原稿搬送路Ｈの外側で、原稿搬送路Ｈを挟んだ位置の複数個所に第２間隙形成部材（第２間隙形成手段）５７０が固定されている。即ち、第２間隙形成部材５７０は、原稿搬送路Ｈの主走査方向の外側の位置に配置され、つまり原稿搬送路Ｈを搬送される原稿と干渉しない位置で、移動ガイドユニット５５０に当接可能な位置に配置されている。そして、第２間隙形成部材５７０は、ＡＤＦ１がスキャナ部３０に対して閉じられた際に移動ガイドユニット５５０に当接して、第２流し読みガラス２０２と移動ガイドユニット５５０との間に原稿が通過可能な間隙を形成する。なお、第２間隙形成部材５７０は、図１０に示すようにシート搬送方向において上流側と下流側との複数個所に配置されてもよいし、図１１及び図１２に示すように、シート搬送方向にある程度の長さを有する形で、シート搬送方向において１個所に配置されていてもよい。なお、第２間隙形成部材５７０は、原稿搬送路Ｈを挟んで両側の少なくとも２個所に配置されていることが望ましい。
【００９３】
一方、移動ガイドユニット５５０は、移動ガイド本体５５３を有しており、移動ガイド本体５５３の上方にはＡＤＦ１が閉じられた状態で第２流し読みガラス２０２と平行になる平行案内面５５２が形成されている。移動ガイド本体５５３には、平行案内面５５２と上面が一致するように白シート部材２１２が配置されている。また、移動ガイド本体５５３には、平行案内面５５２のシート搬送方向の上流側にあって、シート搬送方向の下流側に向けて上方に傾斜する傾斜案内面５５１が形成されている。
【００９４】
移動ガイドユニット５５０は、上流側傾斜案内面５０１に隣接して下流側搬送ガイド５００に設けられた穴に挿入される形で、上下方向に移動自在、即ち第２流し読みガラス２０２に向かって移動自在となるように下流側搬送ガイド５００に支持されている。移動ガイドユニット５５０と下流側搬送ガイド５００の穴の底面（不図示）との間には、複数のスプリング（付勢手段）５６０が縮設されている。それらスプリング５６０は、移動ガイドユニット５５０を第２流し読みガラス２０２に向けて付勢する。なお、移動ガイドユニット５５０は、スプリング５６０によって上方に向けて付勢される。このとき、不図示のストッパにより、上方への移動範囲が制限される。即ち、移動ガイドユニット５５０は、このストッパによって、上流側傾斜案内面５０１の下流側の角部である第４角部Ｎよりも傾斜案内面５５１の上流側の角部である第５角部Ｕが確実に低い位置になるように（高くならないように）規制されている。このように、傾斜案内面５５１の第５角部Ｕは、上流側傾斜案内面５０１の第４角部Ｎよりも第２流し読みガラス２０２から遠ざかる位置に配置されている。なお、移動ガイドユニット５５０は、ストッパにより上方に対して移動が規制されているが、後述する各部品の公差により生じる誤差量よりも大きな可動範囲を有するように構成されている。
【００９５】
以上のように構成された第２の実施形態に係る画像読取装置では、ＡＤＦ１を閉じた状態で、第１間隙形成部材４７０が第１流し読みガラス１５２に当接する。これにより、第１流し読みガラス１５２と平行案内面４０２との原稿搬送路Ｈにおける距離が規制され、この部分の間隙を第１間隙形成部材４７０の高さによって一定にし、かつ略々平行にする。この際、上流側搬送ガイド４００から第２流し読みガラス２０２までの各部品の公差と、第１流し読みガラス１５２から下流側搬送ガイド５００までの各部品の公差とが積上がり、例えば移動ガイドユニット５５０が無い構造では、第２画像読取位置Ｒ２で間隙に誤差が生じる虞がある。
【００９６】
しかしながら、複数の第２間隙形成部材５７０が移動ガイドユニット５５０に当接し、移動ガイドユニット５５０が複数の第２間隙形成部材５７０の高さによって第２流し読みガラス２０２に対する距離が規制される。このとき、上記各部品の公差の積上がりによって、シート搬送方向に交差する面の方向、つまり第２画像読取部２０１の主走査方向を含む面の方向に対して、第２流し読みガラス２０２と下流側搬送ガイド５００とが傾斜した位置関係になる可能性がある。しかしながら、複数のスプリング５６０によって、移動ガイドユニット５５０が、シート搬送方向に交差する方向（主走査方向）の端部が上下に移動可能となるように搖動自在に付勢され、移動ガイドユニット５５０が搖動可能に移動して追従する。このため、この部分の間隙を一定にし、かつ平行案内面５５２及び白シート部材２１２と第２流し読みガラス２０２とを平行にする。つまり移動ガイドユニット５５０が第２流し読みガラス２０２に追従して移動することで、上記各部品の公差の積上がりによって生じる誤差を吸収し、第２流し読みガラス２０２の部分における原稿搬送路Ｈを形成する間隙を一定にかつ平行に保証できる。これにより、搬送される原稿が第２流し読みガラス２０２に対して一定の距離に維持され、第２画像読取部２０１による安定した画像読取ができる。
【００９７】
また、傾斜案内面５５１の第５角部Ｕが上流側傾斜案内面５０１の第４角部Ｎよりも低い位置に規制されているので、第４角部Ｎまで搬送された原稿の先端が移動ガイドユニット５５０に接触して衝撃が発生したり搬送抵抗の急変が生じることを防止できる。これにより、安定した原稿の搬送が可能となり、読み取った画像にずれが生じるなどの問題を防止でき、第２画像読取部２０１による安定した画像読取ができる。
【００９８】
また、本第２の実施形態でもシート搬送方向の下流にあるローラ対９の搬送速度が上流にあるローラ対８よりも速くしているため、原稿の先端がローラ対９に到達すると、原稿の弛みがなくなり、原稿が第３角部Ｋに張り付くようになる。この際、本実施形態における画像読取装置では、図１０に示すように、第２角部Ｂと第３角部Ｋとの間に第４角部Ｎがあり、つまり原稿は第２角部Ｂ、第４角部Ｎ、第３角部Ｋに張り付くように引っ張られる。即ち、第４角部Ｎが、第２角部Ｂと第３角部Ｋとを結んだ仮想線ＶＲよりも低い位置であると、原稿は第２角部Ｂと第３角部Ｋとに張り付いて仮想線ＶＲの上を搬送されることになる。しかし、本実施形態では、第４角部Ｎが仮想線ＶＲよりも高い位置にあることで、原稿は第４角部Ｎと第３角部Ｋとに張り付き、仮想線ＶＲよりも第２読み取りガラス２０２に平行に近づけて原稿を搬送することができ、原稿の読取精度を良くすることができる。
【００９９】
また、例えば移動ガイドユニット５５０の傾斜案内面５５１と第３角部Ｋとで原稿を支えようとすると、移動ガイドユニット５５０が原稿の張力によって下方に押圧され、原稿は第２角部Ｂと第３角部Ｋとによって仮想線ＶＲの上を搬送されることになる。或いは、スプリング５６０の付勢力によって、搬送中の原稿が上下に揺れ動いて、読取精度を悪くしてしまう虞もある。しかしながら、第４角部Ｎが下流側搬送ガイド５００に形成されており、移動ガイドユニット５５０のように移動せずに固定されているので、原稿の張力によって下方に移動することがない。そのため、仮想線ＶＲよりも第２読み取りガラス２０２に平行に近づけて、安定的に原稿を搬送することができ、原稿の読取精度を良くすることができる。
【０１００】
なお、上流側傾斜案内面５０１が無ければ、第４角部Ｎが無く、原稿は第２角部Ｂと第３角部Ｋとに張り付いて仮想線ＶＲの上を搬送されることになる。しかしながら、上流側傾斜案内面５０１が無ければ、原稿の先端を第２読み取りガラス２０２に向けることができず、上述したような異物の掻き取りができないことになる。従って、本実施形態のように、上流側傾斜案内面５０１及び第４角部Ｎがあることで、第２読み取りガラス２０２の異物の掻き取りができ、かつ原稿がローラ対９に到達した後に原稿を第２読み取りガラス２０２に平行に近づけて搬送することができる。
【０１０１】
なお、本第２の実施形態では、複数の間隙形成部材５７０を第２流し読みガラス２０２に固定して設けたものを説明したが、反対に、移動ガイドユニット５５０に固定し、ＡＤＦ１を閉じた際に第２流し読みガラス２０２に当接するように設けてもよい。つまり、間隙形成部材５７０は、第２流し読みガラス２０２と移動ガイドユニット５５０との一方に配設され、他方に当接するように構成されていればよい。
【０１０２】
さらに、同様に、間隙形成部材４７０を上流側搬送ガイド４００に固定して設けたものを説明したが、反対に、第１流し読みガラス１５２に固定して設け、ＡＤＦ１を閉じた際に上流側搬送ガイド４００に当接するように設けてもよい。つまり、間隙形成部材４７０は、上流側搬送ガイド４００と第１流し読みガラス１５２との一方に配設され、他方に当接するように構成されていればよい。
【０１０３】
また、本第２の実施形態では、移動ガイドユニット５５０を付勢するスプリングを複数有しているものを説明したが、例えば移動ガイドユニット５５０を重心の付近の１個所で支持しつつ付勢することで、搖動可能に付勢することも考えられる。
【０１０４】
＜第３の実施形態＞
次に、本発明の第３の実施形態について、図１３及び図１４（ａ），（ｂ）を参照して説明する。図１３は、本実施形態に係る画像読取装置を示す構成図、図１４（ａ）は、本実施形態に係る画像読取部を示す拡大図、図１４（ｂ）は、画像読取部における原稿搬送時の拘束位置を示す図である。
【０１０５】
本実施形態は、第２画像読取部２０１及び第２流し読みガラス２０２を、第１画像読取部１５１及び第１流し読みガラス１５２に対して傾斜させて配置した点で第１の実施形態と異なるが、他の構成は同様である。なお、本実施形態では、第１の実施形態と同一の部材には同一符号を付すと共に、構成、機能が同じものについてはその説明を省略する。
【０１０６】
図１３及び図１４（ａ），（ｂ）に示すように、下流側搬送ガイド５００は、第２流し読みガラス２０２の表面２０２ａに隙間をあけて対向し、且つ上流側傾斜案内面（第１傾斜案内面）５０１に連続する対向案内面５０４を有している。そして、第２画像読取部２０１、第２流し読みガラス２０２及び対向案内面５０４は、第１流し読みガラス１５２に対して原稿搬送方向（矢印Ｆ方向）の下流に向かって上昇するように角度θ２傾斜されている。また、下流側搬送ガイド５００は、第２流し読みガラス２０２と平行になるように角度θ２傾斜する対向案内面５０４を有する。この対向案内面５０４は、上流側傾斜案内面５０１との隣接部分に、図１４（ａ）において第２角部Ｂよりも上下方向（鉛直方向）で高い位置にある第４角部Ｎを有している。
【０１０７】
なお、本実施形態においても、上流側傾斜案内面４０１に沿って直線的に延びる第２延長線Ｑが、第１画像読取部１５１の第１画像読取位置Ｒ１より原稿搬送方向の上流側で第１流し読みガラス１５２に交わるように構成されている。また、上流側傾斜案内面５０１に沿って直線的に延びる第１延長線Ｊが、第２画像読取部２０１の第２画像読取位置Ｒ２より原稿搬送方向の上流側で第２流し読みガラス２０２に交わるように構成されている。これにより、原稿Ｄの第１面Ｄ１、第２面Ｄ２の画像を読み取るのに先立ち、第１流し読みガラス１５２の第１画像読取位置Ｒ１に対応する面、第２流し読みガラス２０２の第２画像読取位置Ｒ２に対応する面を適正に清掃することが可能になる。
【０１０８】
以上の本実施形態では、第１流し読みガラス１５２及び第２流し読みガラス２０２に付着した異物Ｇｏの掻き取り動作、及び、第１画像読取部１５１及び第２画像読取部２０１の各焦点位置については、第１の実施形態と同様である。しかし第２画像読取部２０１と第２流し読みガラス２０２を傾斜させ、第２流し読みガラス２０２に対向する面を対向案内面５０４として第２流し読みガラス２０２に平行な面として形成することで、第２画像読取位置での搬送経路を略Ｕ字状の搬送経路にできる。これにより、原稿Ｄが上流側搬送ガイド４００、下流側搬送ガイド５００から受ける搬送抵抗を可及的に低減することができる。
【０１０９】
なお、本第３の実施形態にあっても、上記第２の実施形態のような第１間隙形成部材４７０、第２間隙形成部材５７０、及び移動ガイドユニット５５０を設けることができる。また、移動ガイドユニット５５０を設ける場合は、移動ガイドユニット５５０を第２流し読みガラス２０２の角度に合わせて、角度θ２傾斜させた状態で設けることが好ましい。
【０１１０】
＜第４の実施形態＞
次に、本発明の第４の実施形態について、図１５（ａ），（ｂ）を参照して説明する。図１５（ａ）は、本実施形態に係る画像読取部を示す拡大図、図１５（ｂ）は、画像読取部における原稿搬送時の拘束位置を示す図である。なお、本実施形態では、第１の実施形態と同一の部材には同一符号を付すと共に、構成、機能が同じものについてはその説明を省略する。
【０１１１】
図１５（ａ），（ｂ）に示すように、本実施形態では、第１の実施形態において上流側搬送ガイド４００の第１角部Ａ、第２角部Ｂ、第３角部Ｋにそれぞれ、搬送される原稿Ｄの移動に従動する従動回転体としての従動ローラ（コロ）ｒｏを配設している。それら従動ローラｒｏの上流側搬送ガイド４００に対する支持構造は、周知の回転支持構造を用いている。
【０１１２】
本実施形態では、原稿搬送路Ｈを搬送される原稿Ｄが摺接可能な、第１角部Ａ、第２角部Ｂ、第２流し読みガラス２０２の下流に位置する第３角部Ｋ（図１４（ａ）参照）に、原稿Ｄに接しつつ従動回転する従動ローラ（従動回転体）ｒｏが夫々設けられている。
【０１１３】
以上の本実施形態では、第１の実施形態と同様の効果を得ることができると共に、上流側搬送ガイド４００の第１角部Ａ、第２角部Ｂ、第３角部Ｋに夫々従動ローラｒｏを回転可能に配置したことで、原稿搬送時の抵抗の軽減が可能になる。つまり、原稿Ｄが搬送ローラ対８及び搬送ローラ対９により引っ張られながら搬送される際に、原稿Ｄが上流側搬送ガイド４００から受ける抵抗を可及的に軽減できるという効果を得ることができる。
【０１１４】
本実施形態では、第１角部Ａ、第２角部Ｂ、第３角部Ｋにおける従動ローラｒｏは夫々、主走査方向において３か所に配置されているが、従動ローラｒｏは、上流側搬送ガイド４００において第２画像読取部２０１の主走査方向に一様に取り付けられてもよい。また、３か所を超えて部分的に取り付けられていてもよい。
【０１１５】
なお、図１６は画像読取部の別の態様を示す拡大図である。図１６に示すように、前述した第３の実施形態において上流側搬送ガイド４００の第１角部Ａ、第２角部Ｂ、第３角部Ｋにそれぞれ、搬送される原稿Ｄの移動に従動する従動ローラｒｏを配設することも可能である。この場合、それら従動ローラｒｏの上流側搬送ガイド４００に対する支持構造は、周知の回転支持構造を用いることができる。
【０１１６】
この構成によれば、第２の実施形態と同様の効果を得ることができると共に、上流側搬送ガイド４００の第１角部Ａ、第２角部Ｂ、第３角部Ｋに夫々従動ローラｒｏを回転可能に配置したことで、原稿搬送時の抵抗の軽減が可能になる。つまり、原稿Ｄが搬送ローラ対８と搬送ローラ対９とにより引っ張られながら搬送される際に、原稿Ｄが上流側搬送ガイド４００から受ける抵抗を可及的に軽減できるという効果を得ることができる。
【０１１７】
また、第１角部Ａ、第２角部Ｂ、第３角部Ｋにおける従動ローラｒｏは夫々、主走査方向において３か所に配置されているが、従動ローラｒｏは、上流側搬送ガイド４００において第２画像読取部２０１の主走査方向に一様に取り付けられていてもよい。また、３か所を超えて部分的に取り付けられていてもよい。
【０１１８】
なお、本第４の実施形態にあっても、上記第２の実施形態のような第１間隙形成部材４７０、第２間隙形成部材５７０、及び移動ガイドユニット５５０を設けることができる。また、移動ガイドユニット５５０において、傾斜案内面５５１と平行案内面５５２とによって形成される角部にも、従動ローラを設けるようにしてもよい。
【０１１９】
なお、先述した第１〜第４の実施形態では、電子写真方式の画像形成装置１０１を用いて説明したが、これに代えて、例えば、ノズルからインク液を吐出させることでシートに画像を形成するインクジェット方式の画像形成装置に用いることも可能である。
【符号の説明】
【０１２０】
８…搬送ローラ対（第１搬送回転体対）／９…搬送ローラ対（第２搬送回転体対）／１０１…画像形成装置／１０３…画像読取装置／１２９，１３３…定着部，画像形成部（画像形成手段）／１５１…第１画像読取部（第１画像読取手段）／１５２…第１流し読みガラス（第１透明部材）／２０１…第２画像読取部（第２画像読取手段）／２０２…第２流し読みガラス（第２透明部材）／４００…上流側搬送ガイド（第２搬送ガイド手段）／４０１…上流側傾斜案内面（第２傾斜案内面）／４０２…平行案内面／４７０…間隙形成部材（間隙形成手段、第２間隙形成手段）／５００…下流側搬送ガイド（第１搬送ガイド手段）／５０１…上流側傾斜案内面（第１傾斜案内面）／５０４…対向案内面／５５０…移動ガイドユニット（移動ガイド手段）／５６０…スプリング（付勢手段）／５７０…第１間隙形成部材（第１間隙形成手段）／Ａ…第１角部／Ｂ…第２角部／Ｄ…原稿（シート）／Ｄ１…原稿の第１面／Ｄ２…原稿の第２面／Ｈ…原稿搬送路（シート搬送路）／Ｊ…第１延長線／Ｋ…第３角部／Ｎ…第４角部（搬送ガイド手段の下流側の端部）／Ｐ…シート／Ｑ…第２延長線／Ｒ１…第１画像読取位置／Ｒ２…第２画像読取位置／ｒｏ…従動ローラ（従動回転体）／Ｕ…第５角部（移動ガイド手段の上流側の端部）／Ｖ１，Ｖ２…原稿搬送速度（シート搬送速度）
【図１】
0006700960.tif 000002
【図２】
0006700960.tif 000003
【図３】
0006700960.tif 000004
【図４】
0006700960.tif 000005
【図５】
0006700960.tif 000006
【図６】
0006700960.tif 000007
【図７】
0006700960.tif 000008
【図８】
0006700960.tif 000009
【図９】
0006700960.tif 000010
【図１０】
0006700960.tif 000011
【図１１】
0006700960.tif 000012
【図１２】
0006700960.tif 000013
【図１３】
0006700960.tif 000014
【図１４】
0006700960.tif 000015
【図１５】
0006700960.tif 000016
【図１６】
0006700960.tif 000017
【図１７】
0006700960.tif 000018